(57)【要約】【課題】  収容した硬貨の配列が統一されたデザインや絵画等を表すことが出来る貯金手段を提供することを課題とするものである。【解決手段】  硬貨等のコイン状の小片を視認可能な状態で保持する複数の保持部を設けたシートまたはパネルと、前記各保持部に装着すべき小片を指定する指定手段を有し、前記指定手段には、装着すべき小片を特定する色、色の明暗または濃淡等の色情報が設けられていることを特徴とする。当該構成により、小片の配列自体によって絵画のような展示物や装飾物を構成することができる。また、概ね指定された小片の装着が完了するまで、当該小片によってどのような絵柄や模様が形成されるのかが解らないので、使用者は完成後の状態を想像しながら小片の装着を続けることができるという効果を有している。【選択図】図１
2008293223.tif 000002
【特許請求の範囲】
【請求項１】
硬貨等のコイン状の小片を視認可能な状態で保持する複数の保持部を設けたシートまたはパネルを有し、
前記複数の保持部の全部または一部には、装着すべき小片を指定する指定情報として、色、色の明暗または濃淡等の色情報が設けられていることを特徴とする小片保持具。
【請求項２】
硬貨等のコイン状の小片を視認可能な状態で保持する複数の保持部を設けたシートまたはパネルと、
前記各保持部に装着すべき小片を指定する指定手段を有し、
前記指定手段には、装着すべき小片を特定する色、色の明暗または濃淡等の色情報が設けられていることを特徴とする小片保持具。
【請求項３】
硬貨を視認可能な状態で保持する複数の保持部を設けたシートまたはパネルを有し、
前記複数の保持部の全部または一部には、装着すべき硬貨を指定する指定情報として、色、色の明暗または濃淡等の色情報が設けられていることを特徴とする硬貨保持具。
【請求項４】
硬貨等を視認可能な状態で保持する複数の保持部を設けたシートまたはパネルと、
前記各保持部に装着すべき硬貨を指定する指定手段を有し、
前記指定手段には、装着すべき硬貨を特定する色、色の明暗または濃淡等の色情報が設けられていることを特徴とする硬貨保持具。
【発明の詳細な説明】
【技術分野】
【０００１】
本発明は、小片又は硬貨によって絵画や模様等を表すことができるシート又はパネルに関するものである。
【背景技術】
【０００２】
従来、表面板と裏面板を合わせて薄い隙間を硬貨の貯まる部分として平面状のパネルにした事、平面状をレールで描いた形に硬貨が貯まることによって形を形成する平面アート貯金パネルが知られている（特許文献１）
その他、コインカレンダー貯金箱（特許文献２）、硬貨利用装飾貯金箱（特許文献３）、パネルタイプの貯金箱や飾り物（特許文献４）が知られている。
上記従来の貯金箱は、パネル状の容器内に硬貨を収容し、当該収容した硬貨を外部から視認可能としたものである。
【特許文献１】実開平４−１２５７１８号公報
【特許文献２】実開平４−３０２１号公報
【特許文献３】実公平５−２２０９１号公報
【特許文献４】特開２００４−２３０１５５号公報
【発明の開示】
【発明が解決しようとする課題】
【０００３】
上記従来の貯金箱等は、収容した硬貨を外部から視認可能としたものであるが、収容した硬貨の配列が何らかの情報を表すものではなく、収容した金銭が単に見えるだけである。
本願発明は、収容した硬貨の配列が統一されたデザインや絵画等を表すことが出来る貯金手段を提供することを課題とするものである。
【課題を解決するための手段】
【０００４】
上記課題を解決するために、本願発明は下記の構成を備えることを特徴とする。すなわち、本願発明に係る小片保持具は、
硬貨等のコイン状の小片を視認可能な状態で保持する複数の保持部を設けたシートまたはパネルを有し、前記複数の保持部の全部または一部には、装着すべき小片を指定する指定情報として、色、色の明暗または濃淡等の色情報が設けられていることを特徴とする。
【０００５】
また、本願発明に係る小片保持具は、
硬貨等のコイン状の小片を視認可能な状態で保持する複数の保持部を設けたシートまたはパネルと、前記各保持部に装着すべき小片を指定する指定手段を有し、前記指定手段には、装着すべき小片を特定する色、色の明暗または濃淡等の色情報が設けられていることを特徴とする。
【０００６】
また、本願発明に係る硬貨保持具は、
硬貨を視認可能な状態で保持する複数の保持部を設けたシートまたはパネルを有し、前記複数の保持部の全部または一部には、装着すべき硬貨を指定する指定情報として、色、色の明暗または濃淡等の色情報が設けられていることを特徴とする。
【０００７】
また、本願発明に係る硬貨保持具は、
硬貨等を視認可能な状態で保持する複数の保持部を設けたシートまたはパネルと、前記各保持部に装着すべき硬貨を指定する指定手段を有し、前記指定手段には、装着すべき硬貨を特定する色、色の明暗または濃淡等の色情報が設けられていることを特徴とする。
【発明の効果】
【０００８】
本願発明に係る小片保持具は、硬貨等のコイン状の小片を、指定された情報に基づいて配列することにより、小片の配列自体によって絵画のような展示物や装飾物を構成することができるという効果を有する。また、概ね指定された小片の装着が完了するまで、当該小片によってどのような絵柄や模様が形成されるのかが解らないので、使用者は完成後の状態を想像しながら小片の装着を続けることができるという効果を有している。
【０００９】
本願発明に係る硬貨保持具は、硬貨を指定された情報に基づいて配列することにより、硬貨の配列自体によって絵画のような展示物や装飾物を構成することができるという効果を有する。また、概ね指定された硬貨の装着が完了するまで、当該硬貨によってどのような絵柄や模様が形成されるのかが解らないので、使用者は完成後の状態を想像しながら硬貨の装着を続けることができるという効果を有している。
さらに、指定通りに硬貨を装着すると、予め設定された金額の貯蓄が可能となるので、貯金箱と同様に金銭を蓄積ことができるという特徴を有している。このように、絵柄の完成と設定金額への到達を楽しみながら行うことができるという効果を有している。
【発明を実施するための最良の形態】
【００１０】
以下、本願発明を実施するための最良の形態について説明する。本願発明は、一例としてシート、パネル等の平面的なディスプレイ部を有する手段に、指定された情報に従って硬貨を装着し、配列された硬貨の色、色の濃さ等によって、絵画やその他意図した絵柄を表示させるというものである。
図１（ａ）（ｂ）は、硬貨を装着するパネル１の説明図である。図１（ａ）は硬貨Ｋを装着するスリットＳの説明図、図１（ｂ）はパネル１全体の正面図の略図となっている。
パネル１は、一例としてほぼ透明な合成樹脂シートを表面に有し、当該合成樹脂シートの裏面に所定の剛性を有する板状体（図示せず）を部分的に貼り合わせて剛性を持たせたものである。当該構成によって、パネル１は全ての硬貨を装着した状態で、硬貨の重量によって屈曲したり形状が崩れることなく壁に立てかけたり、吊した状態を維持することができるようになっている。
【００１１】
前記合成樹脂シートの表面には、硬貨を保持する保持手段となる複数のスリットＳが設けられている。スリットＳは、直線又は円弧状（図示せず）の切り抜き線Ｌと当該切り抜き線Ｌの両端に開けた円形孔Ｃを有した構造になっており、当該構成のスリットＳを２本一対として一つの硬貨Ｋの外周部を保持するようになっている（  図１（ａ））。
図１（ｂ）に示したパネル１は、一例として横２５列×縦３５段の合計８７５枚の硬貨Ｋを密に並べて保持することができるようになっているものであり、当該各硬貨毎に前記スリットＳが２本一対で構成される８７５個の保持部が行列状に設けられているものである。
本実施の形態では、２本一対で構成されるスリットＳの方向が、隣り合う硬貨のスリットＳとほぼ直交する向きとなるように設けられている。これは、円形孔Ｃと円形孔Ｃが近接すると、シートの強度が低くなるので、なるべく近接しないように配慮したためである。
【００１２】
前記保持部は行列状に配置されているので、各保持部はパネル１上における座標によってその位置を特定することができる。例えば、左上隅の保持部は（列，段）＝（１，１）、左下隅の保持部は（列，段）＝（１，３５）、右上隅の保持部は（列，段）＝（２５，１）、右下隅の保持部は（列，段）＝（２５，３５）として表すことができる。図１（ｂ）の上欄および左端に記載した列、段の座標を表す数値は、本明細書において説明の為に示したものであるが、パネル１上に視認可能に設けても差し支えないものである。
図１（ｂ）に示した例では、座標（１，１）に１円硬貨、座標（１，２）に１０円硬貨
、座標（２，１）に５００円硬貨、座標（２，２）に１円硬貨等を保持させた例を示している。このように、硬貨が装着される各保持部は、座標によって位置が特定できるようになっている。
【００１３】
図２は、各座標毎に特定される前記パネル１の保持部に装着されるべき硬貨を特定するための情報（指定情報）を説明するための説明図である。当該指定情報は、前記パネル１上に直接的に表示することにより指定手段として機能させることができる他、別体として設けた印刷物を指定手段として設けて当該印刷物上に指定情報を掲載するようにしてもよい。指定情報をパネル１上に直接設ける場合には、個々の保持部に指定情報が掲載されるので、座標を特定する情報は省略される。また、別体として設けた印刷物を指定手段とする場合には、指定情報に座標を特定する情報が含まれることになる。
【００１４】
前記指定情報には、硬貨の種別（５００円、１００円、５０円、１０円、５円、１円）と、少なくとも素材に銅成分を用いた１０円硬貨と５円硬貨の色（明暗および濃淡を含む）を指定する情報が含まれる。１０円硬貨と５円硬貨は、新品の状態では金属光沢のある明るい色を有しているが、繰り返し使用されるうちに次第に黒ずんだ濃い色になる。すなわち、明るい色から黒ずんだ濃い色まで、一般に流通している硬貨には多段階の色のものが存在しているわけである。
本願発明の特徴の一つは、このような硬貨が有する多段階の色を利用して、絵画等を表現するということである。なお、当然ながら、硬貨によって表現される最終的な表現物は絵画に限るわけではなく、写真、デザイン画、記号等、大凡全ての表示物が含まれる。
【００１５】
また、前述したように、硬貨の色を利用して絵画等を構成する場合、一枚の硬貨が絵画の一部を成すことになるので、前記各保持部ごとに装着される硬貨は、それぞれ少なくとも色に関して設定された条件を満たさなければならない。
図２に示した指定手段は、各座標毎に硬貨の濃淡を指定する「Ｃ１」〜「Ｃ１８」という濃淡を表す情報を有し、当該「Ｃ１」〜「Ｃ１８」がどのような色であるかを示すカラーチャート３も同時に設けられている。
カラーチャート３は、明るい色から濃い色までの多段階の色をグラデーションとして表し、当該グラデーションのある領域の色の濃度を１〜１８の数値に対応させて段階的に表示したものである。
当該カラーチャート３によって特定される色情報が、前記保持部に対応して表示されているので、使用者は当該色情報を含む指定情報に基づいて、対応する硬貨をカラーチャート３を用いて捜しながらパネル１に硬貨を装着することになる。
【００１６】
図３は、指定情報に基づいて硬貨を装着したパネルの一例を示したものである。当該例は、５００円硬貨３７枚（合計１８５００円）、１００円硬貨４０枚（合計４０００円）、５０円硬貨１８枚（合計９００円）、１０円硬貨５８０枚（合計５８００円）、５円硬貨１５０枚（合計７５０円）、１円硬貨５０枚（合計５０円）を使用して、絵画の「モナリザ」が総合計金額３００００円で完成されるように設定されたものである。この実施例では、銀光沢の硬貨の他、濃淡の異なる５種類の１０円硬貨と、４種類の５円硬貨を使用している。当該「モナリザ」の場合、主として髪の毛や顔の表情を表す部分に、濃淡の異なる１０円硬貨と５円硬貨を多用している。
【００１７】
図４は、図３に示した「モナリザ」作成前に視認可能となっている背景画の一例を表したものである。当該背景画４は、前述したスリットＳを設けた透明な合成樹脂シートの裏面に配置しても良いが、当該背景画を設けたパネル自体を、硬貨装着の台紙としてもよい。直接台紙として使用する場合には、硬貨の装着は両面テープ等を用いて行うことができる。
背景画４は、硬貨の装着位置が円形領域５として表示され、当該円形領域５に他の絵画
を構成する絵の要素が設けられているものである。したがって、全ての硬貨が装着されると、背景画として表れていた絵が見えなくなり、変わりに硬貨によって構成された絵が視認可能となる。
背景画４の前記円形領域５以外の部分（円形領域と円形領域の間の領域）には、硬貨によって形成される画が鮮明に表れるように、断片のような補助的な画像６が設けられている。当該補助的な画像は、指定された硬貨と色彩的な一体性を有しており、前述した「モナリザ」のような絵画画像を明確に見せる作用を有している。
【００１８】
図５は、前述した硬貨の配置とは異る他の配置の仕方によって「モナリザ」を構成した例を表している。前述の例では、硬貨を縦と横の行列状に配置していた。これに対して図５は、硬貨の配置の密度が高くなるように、並んだ硬貨間の三角状の隙間に、他の硬貨が入り込むように配置するというものである。
【００１９】
図６は、硬貨のさらに異なる配置方法を表したものである。前述した各例は、硬貨に重なりが生じないように配列するものであるが、規則的に重なりを設けるように配列することも出来る。当該配列にすることで、硬貨の存在しない領域を少なくすることができ、硬貨のみによって表される画像をより鮮明に表すことが出来るという効果を有している。
【００２０】
また、上記説明した例は、主として日本国の通貨を使用した場合について説明しているが、当然ながら他国の通貨を用いても差し支えがないものである。
また、貨幣価値の無いコインや絵柄構成用に専用チップ（小片）を形成し、当該小片によって上記のような絵を構成してもよいものである。
【産業上の利用可能性】
【００２１】
本願発明は、主として硬貨によって絵柄を構成し、かつ所定金額の金銭の蓄積を目的とした貯金手段として利用可能である。
【図面の簡単な説明】
【００２２】
【図１】硬貨を装着するパネルの説明図である。
【図２】硬貨を特定する指定情報の説明図である。
【図３】硬貨を装着したパネルの説明図である。
【図４】背景画の一例を示す説明図である。
【図５】硬貨の他の装着例を表す説明図である。
【図６】硬貨のさらに他の装着例を表す説明図である。
【符号の説明】
【００２３】
１  パネル１
３  カラーチャート
４  背景画
５  円形領域
６  補助的な画像
Ｓ  スリット
Ｌ  切り抜き線
Ｃ  円形孔
Ｋ  硬貨
【図１】
2008293223.tif 000003
【図２】
2008293223.tif 000004
【図３】
2008293223.tif 000005
【図４】
2008293223.tif 000006
【図５】
2008293223.tif 000007
【図６】
2008293223.tif 000008